(57)【要約】【課題】より安価で部品点数を少なくすることができる照明装置を提供する。【解決手段】底板、底板の縁辺から立設された側板、及び側板で囲まれた開口を有する照明装置本体と、照明装置本体の内側に収容された光源部と、側板の内側に周設された載置部と、載置部に載置され、弾性を有する環状の密閉部と、周縁部が密閉部に当接し、開口を覆う透光板と、断面形状がＬ字状であって、透光板の周縁部を密閉部に向かって押圧し、側板に嵌合して透光板を照明装置本体に固定する固定部材とを備える。【選択図】図１
2018098054.tif 000002
【特許請求の範囲】
【請求項１】
底板、該底板の縁辺から立設された側板、及び該側板で囲まれた開口とを有する照明装置本体と、
該照明装置本体の内側に収容された光源部と、
前記側板の内側に周設された載置部と、
該載置部に載置され、弾性を有する環状の密閉部と、
周縁部が前記密閉部に当接し、前記開口を覆う透光板と、
断面形状がＬ字状であって、前記透光板の周縁部を前記密閉部に向かって押圧し、前記側板に嵌合して前記透光板を前記照明装置本体に固定する固定部材と
を備えることを特徴とする照明装置。
【請求項２】
前記固定部材は、
前記透光板の周縁部に当接する当接部材と、
該当接部材から延設され、前記側板に嵌合する嵌合部材と
を備えることを特徴とする請求項１に記載の照明装置。
【請求項３】
前記側板は、
外側に向かって突出した突出部と、
該突出部の前記底板側に設けられた溝部と
を備え、
前記嵌合部材は、
前記溝部に嵌合する嵌合部を備えることを特徴とする請求項２に記載の照明装置。
【請求項４】
前記当接部材は、
前記透光板の周縁部に当接する第１当接面を備え、
該第１当接面は、
前記嵌合部が前記溝部に嵌合した状態で前記透光板の周縁部を前記密閉部に向かって押圧することを特徴とする請求項３に記載の照明装置。
【請求項５】
前記当接部材は、
前記第１当接面から屈曲し、前記嵌合部が前記突出部に当接した状態で前記透光板の周縁部に当接する第２当接面を備えることを特徴とする請求項４に記載の照明装置。
【請求項６】
前記突出部は、
前記開口と反対側に傾斜して突出してあり、
前記嵌合部は、
前記当接部材に向かって傾斜して突出してあることを特徴とする請求項３から請求項５のいずれか一項に記載の照明装置。
【請求項７】
前記固定部材は、
前記当接部材から立設され、前記嵌合部材と隙間を空けて対設した係止部材を備え、
該係止部材を前記側板の内側に係止することを特徴とする請求項２から請求項６のいずれか一項に記載の照明装置。
【請求項８】
前記透光板は、長尺をなし、
前記固定部材は、
前記透光板の長手方向の周縁部を押圧することを特徴とする請求項１から請求項７のいずれか一項に記載の照明装置。
【発明の詳細な説明】
【技術分野】
【０００１】
本発明は、照明装置に関する。
【背景技術】
【０００２】
トンネル用の照明器具などの屋外環境で使用する照明器具では、器具本体に光源を収容し、器具本体に設けられた長方形状の開口をガラス板のような透光性カバーで塞ぐ構造のものがある。
【０００３】
例えば、透光性カバーの長辺の一側を回動可能に器具本体に連結する２箇所のヒンジと、開口を閉塞した透光性カバーの長辺の他側を器具本体に係止する２箇所のラッチとを備える照明器具が開示されている（特許文献１参照）。
【先行技術文献】
【特許文献】
【０００４】
【特許文献１】特開２００８−３１１０６２号公報
【発明の概要】
【発明が解決しようとする課題】
【０００５】
特許文献１のような照明器具は、ラッチ及びヒンジを備え、またガラス板のような透光性カバーにラッチ及びヒンジを固定するための孔を形成する必要もあり、部品点数が多くなるとともに、コストが高くなるという問題がある。
【０００６】
本発明は斯かる事情に鑑みてなされたものであり、より安価で部品点数を少なくすることができる照明装置を提供することを目的とする。
【課題を解決するための手段】
【０００７】
本発明に係る照明装置は、底板、該底板の縁辺から立設された側板、及び該側板で囲まれた開口とを有する照明装置本体と、該照明装置本体の内側に収容された光源部と、前記側板の内側に周設された載置部と、該載置部に載置され、弾性を有する環状の密閉部と、周縁部が前記密閉部に当接し、前記開口を覆う透光板と、断面形状がＬ字状であって、前記透光板の周縁部を前記密閉部に向かって押圧し、前記側板に嵌合して前記透光板を前記照明装置本体に固定する固定部材とを備えることを特徴とする。
【０００８】
本発明に係る照明装置において、前記固定部材は、前記透光板の周縁部に当接する当接部材と、該当接部材から延設され、前記側板に嵌合する嵌合部材とを備えることを特徴とする。
【０００９】
本発明に係る照明装置において、前記側板は、外側に向かって突出した突出部と、該突出部の前記底板側に設けられた溝部とを備え、前記嵌合部材は、前記溝部に嵌合する嵌合部を備えることを特徴とする。
【００１０】
本発明に係る照明装置において、前記当接部材は、前記透光板の周縁部に当接する第１当接面を備え、該第１当接面は、前記嵌合部が前記溝部に嵌合した状態で前記透光板の周縁部を前記密閉部に向かって押圧することを特徴とする。
【００１１】
本発明に係る照明装置において、前記当接部材は、前記第１当接面から屈曲し、前記嵌合部が前記突出部に当接した状態で前記透光板の周縁部に当接する第２当接面を備えることを特徴とする。
【００１２】
本発明に係る照明装置において、前記突出部は、前記開口と反対側に傾斜して突出してあり、前記嵌合部は、前記当接部材に向かって傾斜して突出してあることを特徴とする。
【００１３】
本発明に係る照明装置において、前記固定部材は、前記当接部材から立設され、前記嵌合部材と隙間を空けて対設した係止部材を備え、該係止部材を前記側板の内側に係止することを特徴とする。
【００１４】
本発明に係る照明装置において、前記透光板は、長尺をなし、前記固定部材は、前記透光板の長手方向の周縁部を押圧することを特徴とする。
【発明の効果】
【００１５】
本発明によれば、より安価で部品点数を少なくすることができる。
【図面の簡単な説明】
【００１６】
【図１】本実施の形態の照明装置の構成の一例を示す外観斜視図である。
【図２】本実施の形態の照明装置の構成の一例を示す側面図である。
【図３】図２のＩＩＩ−ＩＩＩ線から見た断面図である。
【図４】図３の符号Ａで示す箇所の要部拡大図である。
【図５】固定部材の当接部材をガラス板の周縁部に置いた状態を示す説明図である。
【図６】固定部材の嵌合部材を側板に嵌合する直前の状態を示す説明図である。
【図７】固定部材の嵌合部材を側板に嵌合させた状態を示す説明図である。
【発明を実施するための形態】
【００１７】
以下、本発明の実施の形態を図面に基づいて説明する。図１は本実施の形態の照明装置１００の構成の一例を示す外観斜視図であり、図２は本実施の形態の照明装置１００の構成の一例を示す側面図である。照明装置１００は、照明装置本体１０を備える。照明装置本体１０は、長尺の底板１１、底板１１の長手方向の縁辺から立設された側板１２、１２、底板１１の短手方向の縁辺及び側板１２、１２に嵌合した側板１３、１３からなる枠体を備える。照明装置本体１０は、側板１２、１３で囲まれた開口１５を有する。
【００１８】
底板１１、側板１２、１３の材質は、例えば、アルミニウム等の金属とすることができる。底板１１と側板１２、１２は、例えば、アルミニウム等の金属の押し出し成形によって一体形成することができる。
【００１９】
照明装置本体１０の内側には、光源部２０としての基板２２及び基板２２に実装されたＬＥＤ２１が収容されている。図１の例では、４個のＬＥＤ２１が実装された基板２２が４枚収容されているが、ＬＥＤ２１及び基板２２の数は図１の例に限定されない。基板２２は、長尺の放熱板２５に装着されている。放熱板２５は、長手方向の縁辺において側板１２に固定されており、ＬＥＤ２１の熱は、放熱板２５及び照明装置本体１０から外部へ放熱される。
【００２０】
開口１５の中央部には、他の照明装置との間で光通信を行うための光センサ２６を配置してある。
【００２１】
側板１２、１３の内側には、開口１５と略同形状であって、環状の密閉部としてのパッキン４０を周設してある。パッキン４０の材質は、弾性を有する材質、例えば、ＣＲ（クロロプレンゴム）又はシリコン等のスポンジゴム、あるいはＥＰＴ（エチレン−プロピレン  ターポリマ）等の合成樹脂などとすることができる。なお、パッキン４０は、側板１２、１２の内側に周設された後述の載置部１２１に載置されている。
【００２２】
パッキン４０に密着した状態で開口１５を覆うように、透光板としての長尺のガラス板５０が側板１２、１３の内側に装着されている。ガラス板５０は、例えば、透明強化ガラス板とすることができる。すなわち、ガラス板５０の周縁部は、パッキン４０に当接している。ガラス板５０の周縁部とは、ガラス板５０の光が透過する面と平行であって、周縁付近の平坦部である。
【００２３】
固定部材３０は、側板１２と同程度の長さを有し、断面形状がＬ字状をなす。固定部材３０は、ガラス板５０の周縁部をパッキン４０に向かって押圧するとともに側板１２に嵌合してガラス板５０を照明装置本体１０に固定する。
【００２４】
照明装置本体１０の四隅近傍には、固定部材３０の両端部分を照明装置本体１０に固定するための固定金具６０がねじによって照明装置本体１０に取り付けられている。固定部材３０は、側板１２に対して着脱可能に装着することができ、固定部材３０を一旦側板１２に嵌合すると、所定の操作をすることなく外れる可能性は極めて低い。しかし、予期しない振動や衝撃によって、固定部材３０が側板１２から外れることを防止すべく、固定金具６０を取り付けている。
【００２５】
固定部材３０が側板１２に嵌合してガラス板５０の周縁部をパッキン４０に向かって押圧するので、弾性を有するパッキン４０がガラス板５０と側板１２（より具体的には、後述の載置部１２１も含む）との隙間を密閉し、防水機能を確保することができる。特に、ガラス板５０の周縁部がパッキン４０に当接するので、ガラス板５０とパッキン４０との接触箇所がより広くなり、防水性能を向上させることができる。
【００２６】
また、固定部材３０を側板１２に嵌合させるだけでガラス板５０を照明装置本体１０に固定することができるので、ラッチ及びヒンジなどの部品が不要となり、ガラス板にラッチ及びヒンジを固定するための孔を形成する必要もなく、また、ガラス板に穴を形成してビス留めする必要もないので、より安価で部品点数を少なくすることができる。
【００２７】
図３は図２のＩＩＩ−ＩＩＩ線から見た断面図であり、図４は図３の符号Ａで示す箇所の要部拡大図である。図３に示すように、底板１１の上側（内側）には、ＬＥＤ２１に電力を供給するための電源回路、及びＬＥＤ２１の点灯を制御するための制御回路などが組み込まれた電源制御基板２７が設けられている。
【００２８】
図４に示すように、載置部１２１は、側板１２の端部の近くであって、側板１２の内側に周設されている。すなわち、開口１５に向かって見た場合、載置部１２１も、パッキン４０と同様に環状をなす。載置部１２１は、中央部と端部それぞれに長手方向に沿った二つの突条部１２６、１２７を適長離隔して平行になるように設けている。側板１２、突条部１２６、１２７及び載置部１２１によって側板１２の長手方向に伸びる二つの溝（パッキン溝）を形成している。
【００２９】
パッキン４０の断面形状は、略矩形状をなし、ガラス板５０と当接する面には、圧縮しやすいように長手方向に伸びる凹凸面を形成してある。また、パッキン４０の載置面は、前述のパッキン溝に挿嵌される、長手方向に伸びる挿嵌部４１を形成してある。ガラス板５０を照明装置本体１０に固定した状態において、パッキン４０は、圧縮した状態で嵌め込まれ、ガラス板５０と側板１２との間の隙間を密閉し、防水機能を確保することができる。
【００３０】
側板１２は、載置部１２１から放熱板２５の方に向かって延設された放熱板固定部１２５を有する。放熱板２５は、その長手方向の縁辺において不図示のねじ等によって放熱板固定部１２５に固定されている。
【００３１】
図４に示すように、断面形状がＬ字状をなす固定部材３０は、ガラス板５０の周縁部５１に当接する当接部材３１と、当接部材３１から延設され、側板１２に嵌合する嵌合部材３２とを備える。すなわち、当接部材３１と嵌合部材３２とによって断面形状がＬ字状をなすように嵌合部材３２は当接部材３１から延設されている。これにより、簡易な構造によって防止機能を確保するとともに、ガラス板５０を照明装置本体１０に固定することができる。
【００３２】
また、図３及び図４に示すように、側板１２は、外側に向かって突出した突出部１２３と、突出部１２３の底板１１側に設けられた溝部１２４とを備える。嵌合部材３２は、溝部１２４に嵌合する嵌合部３２１を備える。溝部１２４に嵌合部３２１が嵌合することにより、固定部材３０を確実に側板１２に固定することができる。
【００３３】
また、突出部１２３は、開口１５と反対側に傾斜して突出してあり、嵌合部３２１は、当接部材３１に向かって傾斜して突出している。照明装置１００は、開口１５を下側にして設置される。照明装置１００が設置された状態では、突出部１２３は上側に向かって傾斜して突出し、嵌合部３２１は、下側に向かって傾斜して突出するので、嵌合部３２１が溝部１２４に嵌合した状態から突出部１２３を乗り越えて外れにくくなり、固定部材３０を側板１２に確実に固定することができる。
【００３４】
当接部材３１は、ガラス板５０の周縁部５１に当接する第１当接面３１１を備える。第１当接面３１１は、嵌合部３２１が溝部１２４に嵌合した状態でガラス板５０の周縁部５１をパッキン４０に向かって押圧する。第１当接面３１１によってガラス板５０の周縁部５１の広い範囲を押圧するので、ガラス板５０に局所的に応力がかかることを防止することができる。これにより、ガラス板５０に傷が付くことを防止することができ、また、ガラス板５０が割れることを防止することができる。
【００３５】
また、当接部材３１は、第１当接面３１１から屈曲した第２当接面３１２を備える。より具体的には、第１当接面３１１がガラス板５０の光透過面と平行な状態において、当接部材３１の端部に向かって第２当接面３１２とガラス板５０との離隔寸法が大きくなるように第２当接面３１２が形成されている。
【００３６】
固定部材３０は、当接部材３１から立設され、嵌合部材３２と隙間を空けて対設した係止部材３３を備える。そして、係止部材３３を側板１２の内側の係止面１２２に係止する。これにより、嵌合部材３２は側板１２の外側から側板１２に嵌合し、係止部材３３は側板１２の内側から側板１２を係止するので、固定部材３０を側板１２の外側及び内側の両側から側板１２に固定することができる。
【００３７】
ガラス板５０の周縁部５１に当接する第１当接面３１１及び第２当接面３１２並びにガラス板５０の端部５２に対向する係止部材３３の対向面３３１には、緩衝部材３４を設けている。緩衝部材３４の材質は、弾力性を有するクッション部材であればよい。ガラス板５０と接触する可能性のある固定部材３０の個所に緩衝部材３４を設けることにより、ガラス板５０に傷が付くことを一層防止することができ、また、ガラス板５０が割れることをさらに防止することができる。
【００３８】
次に、固定部材３０の装着方法について説明する。
【００３９】
図５は固定部材３０の当接部材３１をガラス板５０の周縁部５１に置いた状態を示す説明図であり、図６は固定部材３０の嵌合部材３２を側板１２に嵌合する直前の状態を示す説明図であり、図７は固定部材３０の嵌合部材３２を側板１２に嵌合させた状態を示す説明図である。
【００４０】
図５に示すように、固定部材３０の当接部材３１をガラス板５０の周縁部５１に置いた状態では、嵌合部３２１は、突出部１２３に当接する。嵌合部材３２の端部３２２は、嵌合部３２１の突出した高さに相当する寸法だけ側板１２から離れるので、嵌合部材３２は、端部３２２が側板１２から離れるように側板１２に対して傾斜する。この状態では、第２当接面３１２が、緩衝部材３４を介してガラス板５０の周縁部５１に当接する。すなわち、第２当接面３１２は、嵌合部３２１が突出部１２３に当接した状態でガラス板５０の周縁部５１に当接する。
【００４１】
次に、指又は手のひらを使って固定部材３０（当接部材３１）を図６に示す矢印の方向に向かって押圧する。すなわち、嵌合部３２１が溝部１２４に嵌合するためには、嵌合部３２１が突出部１２３を乗り越えて溝部１２４側へ移動するように、当接部材３１によってガラス板５０の周縁部５１を押圧しなければならない。この場合、ガラス板５０の周縁部５１は、第２当接面３１２によって広い接触範囲で押圧されるので、ガラス板５０に局所的に応力がかかることを防止することができる。図６に示すように、嵌合部材３２を側板１２に嵌合する直前の状態では、第２当接面３１２及び第１当接面３１１の両方でガラス板５０の周縁部５１が押圧される。
【００４２】
図７に示すように、嵌合部材３２を側板１２に嵌合させた状態では、嵌合部３２１が突出部１２３を乗り越えて溝部１２４に嵌合し、嵌合部材３２は、側板１２と平行になる。この状態では、第１当接面３１１によってガラス板５０の周縁部５１が押圧された状態となり、パッキン４０が圧縮された状態で、ガラス板５０と側板１２との隙間に嵌め込まれ、防水機能を確保することができる。なお、嵌合部３２１が突出部１２３を乗り越えときに、突出部１２３が嵌合部材３２の内側面と接触して「パチン」という音が発生するので、固定部材３０が確実に装着されたことを音で認識することができる。
【００４３】
また、パッキン４０が元の形状に戻ろうとする復元力によって、ガラス板５０の周縁部５１が当接部材３１の方に押圧されるが、その復元力は、溝部１２４に嵌合した嵌合部３２１によって制限される。これにより、ガラス板５０は照明装置本体１０に確実に固定される。
【００４４】
なお、固定部材３０を取り外す場合には、板状の所定の治具を嵌合部材３２の端部３２２と側板１２との間の隙間に挿入して、嵌合部材３２を外側に押圧することにより、固定部材３０を取り外すことができる。なお、固定部材３０を取り外す場合、嵌合部３２１が突出部１２３を乗り越える反動によって一気に外れるので、治具を使用することによって固定部材３０を容易に外すことができる。
【００４５】
前述のように、ガラス板５０は、長尺をなし、固定部材３０は、ガラス板５０の長手方向の周縁部５１を押圧するので、ガラス板５０の周縁部５１とパッキン４０との接触箇所がさらに広くなり、防水性能を向上させることができる。
【００４６】
本実施の形態では、固定部材３０の当接部材３１をガラス板５０の周縁部５１に置いた状態でガラス板５０に向かって力を加えることにより、パッキン４０が押されて変形する。これにより、固定部材３０が底板１１の方（下側）に向かって下がり、嵌合部３２１が突出部１２３を乗り越えて溝部１２４に嵌合する。これにより、ガラス板５０を照明装置本体１０に固定することができる。また、パッキン４０は、自身の弾性によって常時ガラス板５０を押す方向に力がかかっているので、ガラス板５０とパッキン４０とが接触している箇所が密着して防水機能を確保することができる。
【００４７】
本実施の形態では、ガラス板５０の端面ではなく、光透過面の一部である周縁部５１とパッキン４０とが接所している。ガラス板５０の光透過面は平坦度が高いので、ガラス板５０とパッキン４０との密着性を高くすることができる。また、ガラス板５０の端面にパッキンを接触させる場合に比べて、本実施の形態では、ガラス板５０とパッキン４０との接触面もより広くすることができる。
【００４８】
本実施の形態の照明装置１００をトンネルの壁面上部などの屋外に取り付ける場合、ガラス板５０が下側を向いた状態で取り付けられる。仮に、パッキン４０の劣化等によって弾性がなくなったとしても、嵌合部３２１が溝部１２４に嵌合しているので、固定部材３０、及びガラス板５０が自重で落下することを防止することができる。
【００４９】
上述の実施の形態では、照明装置１００は、長尺状の箱体をなす形状であったが、照明装置１００の形状は上述の例に限定されない。例えば、ガラス板が円形状をなす照明装置にも本実施の形態を適用することができる。
【００５０】
本実施の形態に係る照明装置は、底板、該底板の縁辺から立設された側板、及び該側板で囲まれた開口とを有する照明装置本体と、該照明装置本体の内側に収容された光源部と、前記側板の内側に周設された載置部と、該載置部に載置され、弾性を有する環状の密閉部と、周縁部が前記密閉部に当接し、前記開口を覆う透光板と、断面形状がＬ字状であって、前記透光板の周縁部を前記密閉部に向かって押圧し、前記側板に嵌合して前記透光板を前記照明装置本体に固定する固定部材とを備えることを特徴とする。
【００５１】
照明装置本体は、底板、底板の縁辺から立設された側板、及び側板で囲まれた開口を有する。光源部は、照明装置本体の内側に収容されている。載置部は、側板の内側に周設され、弾性を有する環状の密閉部は、載置部に載置されている。密閉部は、例えば、防水のためのパッキンとすることができる。
【００５２】
透光板の周縁部が環状の密閉部に当接して開口を覆う。透光板は、例えば、ガラス板とすることができる。透光板の周縁部は、透光板の光が透過する面と平行であって、周縁付近の平坦部である。固定部材は、断面形状がＬ字状であって、透光板の周縁部を密閉部に向かって押圧するとともに側板に嵌合して透光板を照明装置本体に固定する。
【００５３】
固定部材が側板に嵌合して透光板の周縁部を密閉部に向かって押圧するので、弾性を有する密閉部が透光板と側板との隙間を密閉し、防水機能を確保することができる。特に、透光板の周縁部が密閉部に当接するので、透光板と密閉部との接触箇所がより広くなり、防水性能を向上させることができる。
【００５４】
また、固定部材を側板に嵌合させるだけで透光板を照明装置本体に固定することができるので、ラッチ及びヒンジなどの部品が不要となり、透光板にラッチ及びヒンジを固定するための孔を形成する必要もないので、より安価で部品点数を少なくすることができる。
【００５５】
本実施の形態に係る照明装置において、前記固定部材は、前記透光板の周縁部に当接する当接部材と、該当接部材から延設され、前記側板に嵌合する嵌合部材とを備えることを特徴とする。
【００５６】
固定部材は、透光板の周縁部に当接する当接部材と、当接部材から延設され、側板に嵌合する嵌合部材とを備える。すなわち、当接部材と嵌合部材とによって断面形状がＬ字状をなすように嵌合部材は当接部材から延設されている。これにより、簡易な構造によって防止機能を確保するとともに、透光板を照明装置本体に固定することができる。
【００５７】
本実施の形態に係る照明装置において、前記側板は、外側に向かって突出した突出部と、該突出部の前記底板側に設けられた溝部とを備え、前記嵌合部材は、前記溝部に嵌合する嵌合部を備えることを特徴とする。
【００５８】
側板は、外側に向かって突出した突出部と、突出部の底板側に設けられた溝部とを備える。嵌合部材は、溝部に嵌合する嵌合部を備える。溝部に嵌合部が嵌合することにより、固定部材を確実に側板に固定することができる。
【００５９】
本実施の形態に係る照明装置において、前記当接部材は、前記透光板の周縁部に当接する第１当接面を備え、該第１当接面は、前記嵌合部が前記溝部に嵌合した状態で前記透光板の周縁部を前記密閉部に向かって押圧することを特徴とする。
【００６０】
当接部材は、透光板の周縁部に当接する第１当接面を備える。第１当接面は、嵌合部が溝部に嵌合した状態で透光板の周縁部を密閉部に向かって押圧する。第１当接面によって透光板の周縁部を押圧するので、透光板に局所的に応力がかかることを防止することができる。これにより、透光板に傷が付くことを防止することができ、また、透光板が割れることを防止することができる。
【００６１】
本実施の形態に係る照明装置において、前記当接部材は、前記第１当接面から屈曲し、前記嵌合部が前記突出部に当接した状態で前記透光板の周縁部に当接する第２当接面を備えることを特徴とする。
【００６２】
当接部材は、第１当接面から屈曲した第２当接面を備える。第２当接面は、嵌合部が突出部に当接した状態で透光板の周縁部に当接する。すなわち、嵌合部が突出部に当接した状態で第２当接面が透光板の周縁部に当接する。嵌合部が溝部に嵌合するためには、嵌合部が突出部を乗り越えて溝部側へ移動するように、当接部材によって透光板の周縁部を押圧しなければならない。この場合、透光板の周縁部は、第２当接面によって押圧されるので、透光板に局所的に応力がかかることを防止することができる。
【００６３】
本実施の形態に係る照明装置において、前記突出部は、前記開口と反対側に傾斜して突出してあり、前記嵌合部は、前記当接部材に向かって傾斜して突出してあることを特徴とする。
【００６４】
突出部は、開口と反対側に傾斜して突出してあり、嵌合部は、当接部材に向かって傾斜して突出している。照明装置は、開口を下側にして設置される。照明装置が設置された状態では、突出部は上側に向かって傾斜して突出し、嵌合部は、下側に向かって傾斜して突出するので、嵌合部が溝部に嵌合した状態から突出部を乗り越えて外れるにくくなり、固定部材を側板に確実に固定することができる。
【００６５】
本実施の形態に係る照明装置において、前記固定部材は、前記当接部材から立設され、前記嵌合部材と隙間を空けて対設した係止部材を備え、該係止部材を前記側板の内側に係止することを特徴とする。
【００６６】
固定部材は、当接部材から立設され、嵌合部材と隙間を空けて対設した係止部材を備える。そして、係止部材を側板の内側に係止する。これにより、嵌合部材は側板の外側から側板に嵌合し、係止部材は側板の内側から側板を係止するので、固定部材を側板の外側及び内側の両側から側板に固定することができる。
【００６７】
本実施の形態に係る照明装置において、前記透光板は、長尺をなし、前記固定部材は、前記透光板の長手方向の周縁部を押圧することを特徴とする。
【００６８】
透光板は、長尺をなし、固定部材は、透光板の長手方向の周縁部を押圧する。これにより、透光板と密閉部との接触箇所がさらに広くなり、防水性能を向上させることができる。
【符号の説明】
【００６９】
１０  照明装置本体
１１  底板
１２、１３  側板
１２１  載置部
１２２  係止面
１２３  突出部
１２４  溝部
１５  開口
２０  光源部
２１  ＬＥＤ
２２  基板
２５  放熱板
３０  固定部材
３１  当接部材
３１１  第１当接面
３１２  第２当接面
３２  嵌合部材
３２１  嵌合部
３３  係止部材
４０  パッキン
５０  ガラス板
５１  周縁部
６０  固定金具
１００  照明装置
【図１】
2018098054.tif 000003
【図２】
2018098054.tif 000004
【図３】
2018098054.tif 000005
【図４】
2018098054.tif 000006
【図５】
2018098054.tif 000007
【図６】
2018098054.tif 000008
【図７】
2018098054.tif 000009